(57)【特許請求の範囲】
【請求項１】
山形状部が所定間隔に連続する折板屋根の前記山形状部の頂部箇所に孔明け加工せずに挟持するようにして固着する取付用固定具と、前記隣接する山形状部間に挿入する面戸主板と，該面戸主板の幅方向両側から突出し，且つ前記取付用固定具に載置する取付部とからなるエプロン部材と、棟包み材と、固着具とからなり、前記取付用固定具に棟包み材とエプロン部材の取付部とを前記固着具を介して締付け固定されてなることを特徴とする棟修め装置。
【請求項２】
請求項１において、前記折板屋根は、馳締タイプの連結部を有し、前記取付用固定具は、前記連結部を跨いで配置される抱持部と、該抱持部の幅方向一端側より内方に形成される突起片と、前記抱持部の幅方向他端側より内方に突出入する締付具とからなり、前記突起片と締付具とで馳締タイプの連結部を挟持固着されると共に、前記取付部は垂下状片が形成され、且つ馳締挿入部が形成されたブロック部材が備えられ、該ブロック部材と取付用固定具とが当接するようにして、前記連結部に固定されると共に前記垂下状片が前記ブロック部材と取付用固定具との間に差し込まれつつ配置されてなることを特徴とする棟修め装置。
【請求項３】
請求項１において、前記折板屋根は、嵌合屈曲部を介して嵌合する下重合部と上重合部とが重合して形成されてなる重合タイプの連結部を有し、前記取付用固定具は、取付上部の幅方向両側より、前記両嵌合屈曲部に嵌合する嵌合脚状部を形成してなることを特徴とする棟修め装置。
【発明の詳細な説明】
【０００１】
【発明の属する技術分野】
本発明は、所定間隔で山形状部が連続する折板タイプの金属屋根に簡易且つ迅速に装着することができる棟修め装置に関する。
【０００２】
【従来の技術】
従来より、山形部の幅方向両端に馳締タイプの連結屈曲部が形成された金属製の折板屋根板にて構成される折板屋根が多く施工されている。このような屋根板にて葺成された金属屋根の棟側（水上側端を含む）の修めでは、エプロン及び止面戸が装着される。その止面戸は、棟側，水上側の端部に装着され、雨水の浸入を防止する。
【０００３】
また、棟側エプロンは、前記止面戸の手前に配置されるものであり、且つ棟包み材の略前縁位置に装着される。そのエプロンの役目としては、折板屋根の谷形部分（隣接する山形状部間）を略遮断状態にして、多量の雨水，強風等の浸入をほとんど防止し、前記止面戸に大量の雨水や強風が至らないようにするものである。
【０００４】
【発明が解決しようとする課題】
ところで、そのエプロンの棟側箇所への装着は、折板屋根の各谷形状部、換言すれば隣接する山形状部間に装着されてゆくものである。また、このエプロンの装着は、従来では棟包み材の前縁箇所に種々の固着手段により固着されることが多かった。
【０００５】
そのために、棟包み材にエプロンを取り付けるために、相互間に取付装置が形成されている。しかし、このように棟包み材にエプロンを装着する際に、隣接するエプロンの間隔を前記折板屋根の谷形状部の間隔に一致させなければならず、その作業には高い精度が要求される。さらに、一旦、取り付けられたエプロンの位置を変更することは、不可能であり、エプロンの装着位置の微調整も必ずしも容易にできるものではなかった。
【０００６】
【課題を解決するための手段】
そこで発明者は、前記問題点を解決すべく、鋭意，研究を重ねた結果、本発明を、山形状部が所定間隔に連続する折板屋根の前記山形状部の頂部箇所に孔明け加工せずに挟持するようにして固着する取付用固定具と、前記隣接する山形状部間に挿入する面戸主板と，該面戸主板の幅方向両側から突出し，且つ前記取付用固定具に載置する取付部とからなるエプロン部材と、棟包み材と、固着具とからなり、前記取付用固定具に棟包み材とエプロン部材の取付部とを前記固着具を介して締付け固定されてなる棟修め装置としたことにより、山形部より内側又は外側に膨出する嵌合部を有する折板タイプの建築用板に容易に取付ができ、しかもその嵌合部箇所を比較的広く塞ぐことができ、風を伴う雨等の浸入を大部分防止でき上記課題を解決したものである。
【０００７】
【発明の実施の形態】
以下、本発明の実施例を図面に基づいて説明する。本発明は、第１実施形態及び第２実施形態ともに、主に折板屋根Ｃ、エプロン部材Ａ、取付用固定具Ｂ等から構成される。まず、第１実施形態では、エプロン部材Ａは、主に略逆台形状のエプロン面板１と取付部２とから形成されている。該エプロン面板１は、その外形の下部が底辺１ａであり、該底辺１ａの幅方向両側が傾斜状辺１ｂ，１ｂとして形成されている（図８参照）。
【０００８】
さらに、両傾斜状辺１ｂ，１ｂの上端付近から小遮断片１ｃ，１ｃが形成されている。前記底辺１ａ及び傾斜状辺１ｂ，１ｂが折板屋根Ｃの谷形状部（隣接する山形状部Ｃ1 ，Ｃ1 間）の底面部及び該底面部の幅方向両側に形成された傾斜状側部にそれぞれ対応して配置され、エプロン面板１によりその谷形状部を略遮断状態にするものである。また、前記小遮断片１ｃ，１ｃは、折板屋根Ｃの山形状部Ｃ1 の頂部で馳締連結部の両側付近を塞ぐ役目をなすものである。
【０００９】
そのエプロン面板１の上端箇所には、前述したように、取付部２が形成されている。該取付部２は、前記エプロン面板１に対して水平方向に略直角に折り曲げられてなる頂部平坦状部１ｄが形成されている。その頂部平坦状部１ｄは平面側より見て、略長方形状に形成されたものである（図８参照）。
【００１０】
該頂部平坦状部１ｄの長手方向（エプロン面板１より見ると幅方向）両側端から取付部２，２が形成されている（図４，図６，図８等参照）。該取付部２は、水平状片２ａが形成され、該水平状片２ａの端部から垂下状片２ｂが形成されている。まず、前記水平状片２ａは、前記平坦状部２ａから同一平面上にて直角方向（略直角状も含む）に形成されている。
【００１１】
その水平状片２ａの端縁から垂下状片２ｂが形成されている。該垂下状片２ｂは、前記水平状片２ａに対して下方に垂直方向（略垂直方向も含む）に形成されたものである。該垂下状片２ｂは、後述するブロック部材３と、取付用固定具Ｂとにより挟持状態にされ、馳締タイプの連結部１１への固着位置を決める補助的な役目をなす部位である（図５参照）。その垂下状片２ｂは、形成されないこともある。そして、上記エプロン面板１と取付部２とは金属薄板材からプレス成形等により一体的に形成されるものである。
【００１２】
次に、ブロック部材３は、前記折板屋根Ｃの馳締連結部に装着するものであって、略直方体ブロック形状に形成されている。その中央箇所には、馳締タイプの連結部１１が挿入する馳締挿入部３ａが形成されている。該馳締挿入部３ａは、その切り抜き形状が馳締タイプの連結部１１と略同等形状となっている〔図７（Ａ）参照〕。
【００１３】
また、該馳締挿入部３ａの入口側の面が、山形状部Ｃ1 の頂部箇所に載置する装着面３ｂとなっている。該装着面３ｂは糊面となっており粘着部材１５が貼着され、施工時にその剥離シート１５ｂを剥がして使用するものである〔図７（Ａ）参照〕。そのブロック部材３は、ゴム材，合成樹脂等で且つ弾性を有する材質のものから形成され、その馳締挿入部３ａに折板屋根Ｃの馳締連結部を挿入するようにして嵌め込み、そのブロック部材３の装着面３ｂを前記粘着部材１５を介して固着するものである。
【００１４】
次に、取付用固定具Ｂは、前記ブロック部材３とともに、エプロン部材Ａを折板屋根Ｃの谷形状部に固定する役目をなすものである。その取付用固定具Ｂは、筺体状の抱持部４と締付具６とから構成されている。その抱持部４は、略断面門形鞍形状をなしており、上面部４ａの幅方向両側から側面部４ｂ，４ｂが形成されている。
【００１５】
前記上面部４ａは、平坦状をなしており、前記エプロン部材Ａの取付部２が載置される部位となっている〔図５，図６及び図７（Ｂ）等参照〕。そして、一方側の側面部４ｂの下端から他方の側面部４ｂに向かって上向き傾斜状の突起片５が側面部４ｂに一体的に屈曲形成されている。その突起片５が形成されている側面部４ｂと対向する他方の側面部４ｂには、前記締付具６が装着されている。
【００１６】
その締付具６は、具体的にはボルトが使用され、その側面部４ｂには、前記ボルト（締付具６）の螺子部に螺合する内螺子部が形成されている。そして、締付具６を回転させることにより、その先端が前記突起片５に近接したり、或いは離間させることができる。そして、その締付具６の先端と前記突起片５とが折板屋根Ｃの馳締タイプの連結部１１の幅方向両側の両括れ部１１ｆ，１１ｆを挟持するようにして締めつけ取付用固定具Ｂを連結部１１に固着することができるものである〔図７（Ｂ）参照〕。
【００１７】
次に、折板屋根Ｃを構成する屋根板Ｐは、底面部９の幅方向両側より傾斜状の立上り側部１０，１０が形成されている。該立上り側部１０，１０の一方の上端には下馳部１１ａが形成され、他方には上馳部１１ｂが形成されている。そして、下馳部１１ａと上馳部１１ｂとが馳締連結されて馳締タイプの連結部１１が構成される。
【００１８】
その底面部９と立上り側部１０，１０との隅角箇所には被嵌合部１０ａが形成されている。該被嵌合部１０ａは、立上り側部１０の外方に突出するように形成されたものであり、その被嵌合部１０ａ，１０ａに図示されない受金具に嵌合するものである。
【００１９】
次に、本発明の第２実施形態について述べる。該第２実施形態では、折板屋根Ｃが、屋根板Ｐ，Ｐ同士の連結部１１を重合タイプとしたものに適用されるものである（図９，図１１等参照）。まず、折板屋根Ｃについては、底面部９の幅方向両側より立上り側部１０，１０が形成されている。そして、その立上り側部１０，１０の一方の上方には、下重合部１１ｃが形成され、他方側の立上り側部１０，１０の上方には上重合部１１ｄが形成されている。
【００２０】
前記下重合部１１ｃと上重合部１１ｄとは、共に台形山形状に形成され、頂部が平坦状に形成されており、前記下重合部１１ｃ上に上重合部１１ｄが重合され、重合タイプの連結部１１が構成される（図９，図１１参照）。また下重合部１１ｃ及び上重合部１１ｄにはそれぞれ嵌合屈曲部１１ｅ，１１ｅが形成されており、下重合部１１ｃの嵌合屈曲部１１ｅと、上重合部１１ｄの嵌合屈曲部１１ｅ同士が嵌合して、下重合部１１ｃと上重合部１１ｄとが重合，且つ固定するものである。
【００２１】
その嵌合屈曲部１１ｅ，１１ｅは、下重合部１１ｃと上重合部１１ｄとが重合した状態で、その山形状部Ｃ1 の幅方向両側に位置し、立上り側部１０と下重合部１１ｃ及び立上り側部１０と上重合部１１ｄとの間に突起状，或いは括れ状に形成される。
【００２２】
次に、第２実施形態におけるエプロン部材Ａは、正面より見て略逆台形状の面戸主板１の上端が略直角状に頂部平坦状部１ｄが形成され、該頂部平坦状部１ｄの幅方向両側端から取付部２，２が形成されたものである〔図１３（Ａ），（Ｂ），（Ｃ）参照〕。該取付部２，２の下面側には粘着部材１５が設けられることもある。該粘着部材１５は、粘着面１５ａと剥離シート１５ｂとからなり、該剥離シート１５ｂを剥離して、前記粘着面１５ｂが山形状部Ｃ1 の頂部に粘着することができる。
【００２３】
第２実施形態におけるエプロン部材Ａにおいては、複数の面戸主板１，１，…が形成されている。図の実施例では、二つの面戸主板１，１が隣接状態で形成されたものである。その隣接する面戸主板１，１とは、頂部平坦状部１ｄにて連結されるものである。その取付部２，２の下面側にも前記粘着部材１５が設けられている〔図１３（Ａ），（Ｃ）参照〕。
【００２４】
次に、第２実施形態における取付用固定具Ｂは、平坦状に形成された取付上部７と、該取付上部７の幅方向両側より形成された嵌合脚状部８，８とから形成されている。該嵌合脚状部８，８は、前記取付上部７の幅方向両端箇所から、内方側に傾斜するようにして形成され、その嵌合脚状部８，８の下端には、嵌合端縁８ａ，８ａが形成されている〔図１２（Ａ）参照〕。
【００２５】
該嵌合端縁８ａ，８ａは、具体的には略「く」字形状（或いは逆「く」字形状）に形成されている。また、前記取付上部７には保持部７ａ，７ａ，…が形成されている。該保持部７ａ，７ａ，…は、前記下重合部１１ｃと上重合部１１ｄとからなる山形状部Ｃ1 の頂部幅方向両側を鞍形状に挟む状態で保持することができる〔図１２（Ｂ），図１５乃至図１７等参照〕。
【００２６】
該保持部７ａ，７ａ，…は、取付上部７の一部が切り欠き状に切除され、且つその切除箇所が下方に折り曲げられて形成されるものである。その取付上部７の裏面側にも粘着部材１５が設けられている。該粘着部材１５は、前述したものと同様に、剥離シート１５ｂを剥離して、粘着面１５ａを山形状部Ｃ1 の頂部に粘着させるものである。
【００２７】
また、折板屋根Ｃの棟側端では、隣接する山形状部Ｃ1 ，Ｃ1 間の底面部９の棟側端部には、止面戸１２が装着される（図１０，図１１等参照）。該止面戸１２は、その止面戸主板１２ａの上端箇所から頂面部１２ｂが略直角状に屈曲形成されている。その頂面部１２ｂは、前記止面戸主板１２ａの幅方向両側端から突出しており、隣接する山形状部Ｃ1 ，Ｃ1 の頂部に載置されるようにして装着される。
【００２８】
前記頂面部１２ｂ上には、ゴム，スポンジ等から形成されたシール材１６が貼着され、前記棟包み材７との間に位置して、外部との遮断性を確保するものである。また、その止面戸１２を折板屋根Ｃに装着したのち、その止面戸１２と山形状部Ｃ2 との間には、コーキング剤を充填し、略水密状にする。
【００２９】
次に、棟包み材１４は、折板屋根Ｃの水上側箇所を被覆する役目をなすものであって、緩傾斜部１４ａ，１４ａが略対称的に形成され、その断面形状が略へ字状の偏平山形形状となり、この山形部の両端より下方に折返し縁１４ｂ，１４ｂがそれぞれ形成されている。
【００３０】
【作用】
まず、本発明の第１実施形態では、多数の屋根板Ｐ，Ｐ，…の下馳部１１ａと上馳部１１ｂと連結してゆくことにより、折板屋根Ｃが葺成される。次に、その折板屋根Ｃの棟箇所で且つ谷形状部（隣接する山形状部Ｃ2 ，Ｃ2 間）に止面戸１２が配置され、該止面戸１２と山形状部Ｃ2 との間にコーキング剤が充填され、水密状に固着される。
【００３１】
次に、ブロック部材３及び取付用固定具Ｂが折板屋根Ｃの馳締タイプの連結部１１に装着される。取付用固定具Ｂは、その突起片５と締付具６により馳締タイプの連結部１１の括れ部１１ｆ，１１ｆを挟持するようにして固定するものである。そのブロック部材３と取付用固定具Ｂとは、両者が当接するようにして固定される。
【００３２】
次に、エプロン部材Ａの両垂下状片２ｂ，２ｂが、前記馳締タイプの連結部１１に装着されたブロック部材３と取付用固定具Ｂとの間に差し込みつつ配置され、両水平状片２ａ，２ａが隣接する取付用固定具Ｂ，Ｂの上面部４ａ，４ａ上に載置される。
【００３３】
そして、棟包み材１４が前記エプロン部材Ａと止面戸１２を被覆するようにして配置される。その棟包み材１４と前記エプロン部材Ａの水平状片２ａとが前記取付用固定具Ｂの上面部４ａにビス等の固着具１３を介して締め付けつつ固着される。これを各山形状部Ｃ1 の頂部箇所で繰り返して、棟修めが行われるものである。
【００３４】
次に、本発明の第２実施形態の施工について説明する。該第２実施形態においても、前記第１実施形態と同様に、止面戸１２が折板屋根Ｃの棟側端に装着される。まず、重合タイプの山形状部Ｃ2 に取付用固定具Ｂが載置され、該取付用固定具Ｂの嵌合端縁８ａ，８ａが前記山形状部Ｃ2 に形成されている嵌合屈曲部１１ｅ，１１ｅに嵌合固定される〔図１２（Ｂ），図１４等参照〕。
【００３５】
このとき、取付上部７に形成された抱持部７ａ，７ａ，…によって、山形状部Ｃ2 の頂部を幅方向に保持し、さらに、取付用固定具Ｂの取付上部７の裏面側に設けた粘着部材１５の粘着面１５ａを介して山形状部Ｃ2 の所定位置に固定し、位置ずれが生じないようにし、前記嵌合端縁８ａと嵌合屈曲部１１ｅとの嵌合による固定をより一層強固にする。
【００３６】
次に、第２実施形態のエプロン部材Ａが、隣接する山形状部Ｃ2 ，Ｃ2 間に配置され、その取付部２，２が前記取付用固定具Ｂ，Ｂの取付上部７，７上に載置される（図１５，図１６参照）。そして、棟包み材１４が前記エプロン部材Ａと止面戸１２を被覆するようにして配置される。
【００３７】
その棟包み材１４と前記エプロン部材Ａの取付部２，２とが前記取付用固定具Ｂの取付上部７，７にビス等の固着具１３，１３を介して締め付けつつ固着される（図１７参照）。これを各山形状部Ｃ1 の頂部箇所で繰り返して、棟修めが行われるものである。
【００３８】
【発明の効果】
請求項１の発明は、山形状部Ｃ１が所定間隔に連続する折板屋根Ｃの前記山形状部Ｃ１の頂部箇所に孔明け加工せずに挟持するようにして固着する取付用固定具Ｂと、前記隣接する山形状部Ｃ１間に挿入する面戸主板１と，該面戸主板１の幅方向両側から突出し，且つ前記取付用固定具Ｂに載置する取付部２とからなるエプロン部材Ａと、棟包み材１４と、固着具１３とからなり、前記取付用固定具Ｂに棟包み材１４とエプロン部材Ａの取付部２とを前記固着具１３を介して締付け固定されてなる棟修め装置としたことにより、エプロン部材Ａを適正位置に簡易且つ迅速に装着することができる。
【００３９】
上記効果を詳述すると、そのエプロン部材Ａには、面戸主板１の幅方向両側から突出する取付部２，２が形成されている。また、取付用固定具Ｂは、折板屋根Ｃの山形状部Ｃ1 に固着され、前記エプロン部材Ａの取付部２，２はその取付用固定具Ｂに載置され、その取付部２，２と棟包み材１４ともに固着具１３を介して固着されるものである。
【００４０】
それゆえに、各エプロン部材Ａは、それぞれ隣接する山形状部Ｃ1 ，Ｃ1 間の適正位置に配置され、棟包み材１４とともに固着具１３にて固着される構造であるために、施工完了時には各エプロン部材Ａは、適正位置に正確に装着されることができる。しかも、各エプロン部材Ａ及び棟包み材１４は、固着具１３にて取付用固定具Ｂに固着されるので、取付強度も良好である。
【００４１】
従来タイプでは、棟包み材側にエプロンを山形状部の間隔に合わせて装着していたので、実際に棟包み材を折板屋根の棟箇所に配置したときには、誤差等によりエプロンが隣接する山形状部間にうまく納まらないこともありがちであった。しかし、本発明においては、エプロン部材Ａをまず隣接する山形状部Ｃ2 ，Ｃ2 に装着して施工するものであり、これによって、全てのエプロン部材Ａを適正位置に装着することができ、上述した従来の欠点を解決したものである。
【００４２】
次に、請求項２の発明は、請求項１において、前記折板屋根Ｃは、馳締タイプの連結部１１を有し、前記取付用固定具Ｂは、前記連結部１１を跨いで配置される抱持部４と、該抱持部４の幅方向一端側より内方に形成される突起片５と、前記抱持部４の幅方向他端側より内方に突出入する締付具６とからなり、前記突起片５と締付具６とで馳締タイプの連結部１１を挟持固着されると共に、前記取付部２は垂下状片２ｂが形成され、且つ馳締挿入部３ａが形成されたブロック部材３が備えられ、該ブロック部材３と取付用固定具Ｂとが当接するようにして、前記連結部１１に固定されると共に前記垂下状片２ｂが前記ブロック部材３と取付用固定具Ｂとの間に差し込まれつつ配置されてなる棟修め装置としたことにより、馳締タイプの連結部１１に適応するエプロン部材Ａの装着を簡易且つ迅速に行うことができ、且つエプロン部材Ａを適正位置に装着することができる。しかも、取付用固定具Ｂは、馳締タイプの連結部１１を突起片５と締付具６とにより挟持する構造であるために、折板屋根Ｃに対して何ら孔明け加工する必要がなく、折板屋根Ｃに対して雨水が浸入するような状態を未然に防止することができる。その他は請求項１の効果と同様である。
【００４３】
次に、請求項３の発明は、請求項１において、前記折板屋根Ｃは、嵌合屈曲部１１ｅ，１１ｅを介して嵌合する下重合部１１ｃと上重合部１１ｄとが重合して形成されてなる重合タイプの連結部１１を有し、前記取付用固定具Ｂは、取付上部７の幅方向両側より、前記両嵌合屈曲部１１ｅ，１１ｅに嵌合する嵌合脚状部８，８を形成してなる棟修め装置としたことにより、重合タイプの連結部１１に適応するエプロン部材Ａの装着を簡易且つ迅速に行うことができ、且つエプロン部材Ａを適正位置に装着することができる。特に、取付用固定具Ｂは、嵌合脚状部８，８を連結部１１の嵌合屈曲部１１ｅ，１１ｅに嵌合させて、山形状部Ｃ1 に装着するタイプである。その装着は、略瞬間的にできるもので、作業効率を良好にすることができる。その他は請求項１の効果と同様である。
【図面の簡単な説明】
【図１】第１実施形態を使用した棟箇所の斜視図
【図２】第１実施形態の一部断面にした要部側面図
【図３】第１実施形態の一部切除した要部平面図
【図４】棟包み材を装着しない状態の要部斜視図
【図５】第１実施形態の要部側面図
【図６】第１実施形態の要部分解斜視図
【図７】（Ａ）はブロック部材及び該ブロック部材を連結部に装着した要部斜視図
（Ｂ）は取付用固定具を連結部に装着した要部の正面略示図
（Ｃ）は折板屋根に取付用固定具を装着する状態を示す略示斜視図
【図８】折板屋根にエプロン部材を装着する状態の斜視図
【図９】第２実施形態の要部斜視図
【図１０】第２実施形態の要部側面図
【図１１】第２実施形態の要部の一部切除した拡大斜視図
【図１２】（Ａ）は第２実施形態における取付用固定具の斜視図
（Ｂ）は連結部に装着した状態の取付用固定具の斜視図
【図１３】（Ａ）は第２実施形態におけるエプロン面戸の斜視図
（Ｂ）は（Ａ）のＸ1 −Ｘ1 矢視略示断面図
（Ｃ）は（Ａ）のＸ2 −Ｘ2 矢視拡大断面図
【図１４】取付用固定具を連結部に装着する工程図
【図１５】取付用固定具にエプロン面戸を装着する工程図
【図１６】エプロン面戸上に棟包み材を装着する工程図
【図１７】エプロン面戸上に棟包み材を装着した要部断面拡大図
【符号の説明】
Ａ…エプロン部材
Ｂ…取付用固定具
Ｃ…折板屋根
Ｃ1 …山形状部
１…面戸主板
２…取付部
４…抱持部
５…突起片
６…締付具
７…取付上部
８…嵌合脚状部
１１…連結部
１１ｅ…嵌合屈曲部
１１ｃ…下重合部
１１ｄ…上重合部
１３…固着具
１４…棟包み材
【図１】
0003938455.tif 000002
【図２】
0003938455.tif 000003
【図３】
0003938455.tif 000004
【図４】
0003938455.tif 000005
【図５】
0003938455.tif 000006
【図６】
0003938455.tif 000007
【図７】
0003938455.tif 000008
【図８】
0003938455.tif 000009
【図９】
0003938455.tif 000010
【図１０】
0003938455.tif 000011
【図１１】
0003938455.tif 000012
【図１２】
0003938455.tif 000013
【図１３】
0003938455.tif 000014
【図１４】
0003938455.tif 000015
【図１５】
0003938455.tif 000016
【図１６】
0003938455.tif 000017
【図１７】
0003938455.tif 000018